(57)【要約】      （修正有）【課題】人形の立札に立札としての表示と、その人形に相応しい楽曲を簡単に再生して楽しめる人形の立札を提供する。【解決手段】人形の立札としての表示８とその人形に相応した楽曲などを収納したＱＲコード（登録商標）９を表面に表示して立札用の表示板７とする。人形の立札は、基台１と基台から立ち上る起立板２を有し、起立板の前面又は背面を覆う被覆板５をさらに有し、起立板と被覆板の間に表示板７を介在させて保持させ、少なくとも表示板の前面に当たる起立板又は被覆板を透明とし、表示板に表された表示８と、ＱＲコード（登録商標）を読み取れるようにしている。【選択図】図３
0003228224.tif 000002
【実用新案登録請求の範囲】
【請求項１】
節句人形などの人形の立札として用いられるものであって、基台と基台から立ち上る起立板を有し、該起立板の前面又は背面を覆う被覆板を設け、上記起立板と被覆板の間に表示板を介在保持させ、該表示板の前面に位置する起立板又は被覆板を透明性とし、上記表示板の表面に立札用の表示と人形に相応した楽曲などの音声を収納したＱＲコード（登録商標）を表示した人形の立札。
【請求項２】
上記表示板は、起立板と被覆板の間に介在し磁石によって挟持されている請求項１に記載の人形の立札。
【請求項３】
表面に人形の立札としての表示と当該人形に相応した楽曲などの音声を収納したＱＲコードを表示した人形の立札用の表示板。
【請求項４】
上記人形は五月人形であって、ＱＲコードに収納されている楽曲がこいのぼり又はせいくらべである請求項３に記載の人形の立札用の表示板。
【請求項５】
上記人形は雛人形であって、ＱＲコードに収納されている楽曲がうれしいひなまつりである請求項３に記載の人形の立札用の表示板。
【考案の詳細な説明】
【技術分野】
【０００１】
本考案は、節句人形などの人形の立札及び立札用の表示板に関するものである。
【背景技術】
【０００２】
人形の立札には人形の銘や作者名などを記載したものや、主に節句人形のように初節句においてお祝いする人の名前、誕生日などを記載する立札が用いられている。
しかし、こうした立札には文字や図柄などの視覚に訴えるものだけで変化に乏しいところから、立札の背面部分にゼンマイ式や電池式のオルゴールを取り付けて付けて音声も楽しめるようなものも提供されている、（特許文献１）
【０００３】
しかしながら、こうしたオルゴール付きの立札は非常に嵩張るし、ゼンマイ式のものではゼンマイを巻かなければならず、電池式では電池を入れ替えなければならないという手間を要している。また、オルゴールの操作の為に立札に直接手を触れることになって汚してしまうこともあり、何かと不都合が見られた。
【先行技術文献】
【特許文献】
【０００４】
特許文献１：実開昭５２−９９７９６号公報
【考案の概要】
【考案が解決しようとする課題】
【０００５】
本考案は、人形の立札に立札としての表示を表すと共に、その人形に相応しいような楽曲も簡単に再生して楽しめるようにしようとするものである。
【課題を解決するための手段】
【０００６】
本考案は、節句人形その他の各種の人形と共に用いられるようなもので、その表面に人形の立札としての表示とその人形に相応した楽曲などの音声を収納したＱＲコード（登録商標；以下同じ。）を表示して立札用の表示板とする。
人形の立札は、基台と基台から立ち上る起立板を有し、該起立板の前面又は背面を覆う被覆板を設けており、この起立板と被覆板の間に上記の表示板を介在させて保持させるようにし、少なくともその表示板の前面に当たる起立板又は被覆板を透明性とし、上記表示板の表面に表された表示が見られると共にＱＲコードを読み取れるようにしたものである。
【考案の効果】
【０００７】
本考案によれば、表示板によって人形としての立札の表示が読めると共に、ＱＲコードをスマートフォンなどによって読み取れば、このＱＲコード中に格納されている楽曲などを読み出して再生することができる。
上記の立札において表示板は起立板と被覆板との間に挟んで保持されており、表示板の表面側では透明性になっているので、その上から表示板の表示を見たり、ＱＲコードを簡単に読み取ったりすることができる。
【図面の簡単な説明】
【０００８】
【図１】本考案の実施例を示す立札の正面図である。
【図２】図１に示すものの側面図である。
【図３】図１に示すものの分解状態を示す斜面図である。
【図４】図１に示されているものの表示板の正面図である。
【図５】表示板の他の例を示す正面図である。
【考案を実施するための形態】
【０００９】
基台（１）と基台から立ち上る起立板（２）があって、起立板（２）の表面（３）又は背面（４）を覆う被覆板（５）を設けている。
図示するものでは起立板（２）が、基台（１）から後方に傾斜して立ち上がっており、被覆板（５）は起立板（２）の表面（３）を覆うように形成されている。この被覆板（５）は、起立板（２）との間で磁石（６）によって定位置に保持できるようにされているが、両板の側部から体裁の良いクリップなどで挟み付けて保持したり、その他の適宜の方法によって保持するようにできる。
【００１０】
上記起立板（２）と被覆板（５）の間には表示板（７）を挟むように介在させて、これを保持する状態にしている。
上記被覆板（５）は透明性にされていて、被覆板（５）を通して表示板（７）を透視することができる。この被覆板（５）を起立板（２）の背面（４）側に配置させる場合には、起立板（２）の方を透明性にするとよいし、また、被覆板、基台、起立板のいずれも透明性にすることができる。
【００１１】
この立札（１０）の表示板（７）には、人形の立札としての表示（８）と当該人形に相応しい楽曲などの音声を格納したＱＲコード（９）が表示されている。
図示するものは５月の節句人形用のものであり、表示（８）として上部に兜（１２）、金太郎（１３）、鯉のぼり（１４）の図柄と、「祝！初節句」（１５）の文字を表示している。
また、中段には、初節句を迎えた子供の名前と誕生日を記載する欄（１６）が設けてあり、下段には「この度は、初節句おめでとうございます。」の表示（１７）と上記ＱＲコード（９）を表示している。
【００１２】
この立札は、人形と共に販売されたりするが、人形を購入した人や、お祝いに人形を贈ったりする人は、被覆板（５）を取外して表示板（７）に、初節句を迎える子供の名前と誕生日を記載し、再び被覆板（５）を被せて起立板（２）に保持させることができる。
こうした立札（１０）は節句人形の脇に置いて、共に飾り付けて使用することが出来る。
【００１３】
こうして飾り付けられている立札（１０）からは記載されている表示を見ることが出来ると共に、ＱＲコード（９）にスマートフォンなどをかざしてこれを読み取ると、このＱＲコードに格納されている楽曲が演奏されるようになり、音声も楽しむことができる。
図示のものでは、５月の節句人形に相応しいこいのぼりの楽曲が収められているが、せいくらべその他の楽曲を格納するようにすることもできる。
【００１４】
また、初節句にお祝いに訪れて来た人にも、節句人形を見てもらうと共に、スマートフォンをかざしてもらえば同じように楽曲が演奏されるので、共に楽しんで祝ってもらうことができるようになる。
【００１５】
図５に示すものは、３月の節句用に作られた表示板（７）であり、上段に内裏人形（２０）と菱餅（２１）を表示しており、ＱＲコード（９）には、うれしいひなまつりの楽曲を格納しており、その他は上記に準じて作成されているものである。
【００１６】
上記においては、起立板（２）と被覆板（５）の間に表示板（７）を保持させた立札（１０）について述べてきたが、これを簡略化して上記した表示板（７）のみを提供し、これを使用してもＱＲコード（９）に格納されている楽曲を同様に演奏することができるようになる。
また、上記ＱＲコードについては主として楽曲を格納する場合について述べてきたが、贈り主のお祝いの言葉、メッセージなど、その他各種の音声などを自由に格納することができる。
【符号の説明】
【００１７】
１    基台
２    起立板
５    被覆板
６    磁石
７    表示板
９    ＱＲコード
１０  立札
【図１】
0003228224.tif 000003
【図２】
0003228224.tif 000004
【図３】
0003228224.tif 000005
【図４】
0003228224.tif 000006
【図５】
0003228224.tif 000007